(57)【特許請求の範囲】
【請求項１】
ハンドル部（１）と竿本体（２）とが分離可能に構成され、前記ハンドル部（１）と竿本体（２）とを連結すべく、前記ハンドル部（１）の竿先側には、前記竿本体（２）が嵌合される継合部が設けられてなる釣竿において、前記継合部は、管部と、該継合部の竿先側端部に位置し且つ周囲の長さが前記管部より長い連結部とから構成され、前記ハンドル部（１）と竿本体（２）の連結状態を維持すべく、前記連結部の内周面には、竿本体（２）を固定する固定手段が設けられてなることを特徴とする釣竿。
【請求項２】
前記固定手段が雌ネジ部（１８）であり、該雌ネジ部（１８）に螺合する雄ネジ部（１１ａ）が前記竿本体（２）に設けられてなる請求項１記載の釣竿。
【発明の詳細な説明】
【０００１】
【発明の属する技術分野】
本発明は、ハンドル部に竿本体が抜き差し自在に嵌入される釣竿の改良に関する。
【０００２】
【従来の技術】
従来、この種の釣竿には、例えば、図６の如く、リールが装着される円筒状のハンドル部５１と、ガイドを備えた竿本体５２とが分離可能に構成されたものが公知である。該釣竿にあっては、竿本体５２の竿元側の嵌入部５３をハンドル部５１の嵌入孔５４に嵌入することによって、ハンドル部５１と竿本体５２とを連結でき、竿本体５２の竿元側端面５５に形成された凹溝５６を、嵌入孔５４内部に取り付けた係止ピン５７に係合させることで、竿本体５２の嵌入が止まると共にハンドル部５１に対する竿本体５２の回転を防止できる。
【０００３】
そして、竿本体５２に回転自在に外装着された締結リング５８をハンドル部５１の雄ネジ部５９に螺合させて締め付けることで、竿本体５２の抜けが防止され、凹溝５６が係止ピン５７に押圧されてハンドル部５１と竿本体５２とが一体化される。
【０００４】
【発明が解決しようとする課題】
しかるに、上記従来の釣竿にあっては、ハンドル部５１の外周面に雄ネジ部５９を形成し、該雄ネジ部５９に締結リング５８を螺着させる構成なるため、ハンドル部５１の外径ｄ１と竿本体５２の外径ｄ２との差が大きくなる。即ち、均一径のハンドル部５１に雄ネジ部５９を形成するため、ハンドル部５１の肉厚を全体的に厚くせざるを得ず、嵌入される竿本体５２との外径差が大きくなる。
【０００５】
このように外径差が大きくなるとハンドル部５１と竿本体５２との間に強度差が生じ、連結箇所、例えば、締結リング５８の竿先側の箇所等において竿本体５２に応力集中が発生して折れ損の要因になる。特に、大物釣りの釣竿では、この応力集中を回避することの重要性が高くなる。
【０００６】
また、上述のようにハンドル部５１に雄ネジ部５９を形成するのではなく、その内周面に雌ネジ部を形成すると共に、締結リングに雄ネジ部を形成して、締結リングをハンドル部に螺入する構成もある。かかる構成においても、ハンドル部のうちの竿本体が嵌入される継合部が、竿先側端部まで均一径に形成されてなるため、雌ネジ部を形成するために継合部全体の肉厚を厚くする必要があり、竿本体との間に大きな外径差が生じることになる。
【０００７】
何れにしても従来の釣竿においては、竿本体が嵌入されるハンドル部の継合部が、竿先側端部まで外径の均一なストレート状に形成されていたために、嵌入される竿本体との外径差が大きくなって竿本体に応力集中が生じることになる。
【０００８】
そこで本発明は、上記従来の問題点に鑑みてなされ、ハンドル部との連結箇所における竿本体の応力集中を緩和することにより、竿本体の折れ損を確実に防止できる釣竿を提供することを課題とする。
【０００９】
【課題を解決するための手段】
本発明は、上記課題を解決すべくなされたものであり、本発明に係る釣竿は、ハンドル部１と竿本体２とが分離可能に構成され、前記ハンドル部１と竿本体２とを連結すべく、前記ハンドル部１の竿先側には、前記竿本体２が嵌合される継合部が設けられてなる釣竿において、前記継合部は、管部と、該継合部の竿先側端部に位置し且つ周囲の長さが前記管部より長い連結部とから構成され、前記ハンドル部１と竿本体２の連結状態を維持すべく、前記連結部の内周面には、竿本体２を固定する固定手段が設けられてなることを特徴とする。
【００１０】
該構成の釣竿にあっては、連結部の内周面に設けた固定手段によって、竿本体２とハンドル部１との連結状態が維持されることとなるが、連結部の周囲の長さを管部より長くしてなるため、管部の外径を抑制しつつも連結部の内周面の径を大きく形成することができる。従って、竿本体２と管部との外径差を抑制することができる。
【００１１】
【発明の実施の形態】
以下、本発明に係る釣竿の一実施形態について、図１乃至図５を参酌しつつ、ハンドル部１と竿本体２とが分離、連結自在に構成され、ハンドル部１の竿先側には、前記竿本体２が嵌入される嵌入孔３を有する継合部が設けられてなる釣竿について以下説明する。
【００１２】
前記竿本体２は、全長に亘って中実状に形成されてなり、具体的には、中実状のソリッド体４の外周面にプリプレグが巻装されて構成されてなる。前記プリプレグは、ソリッド体４の竿元側の所定領域を除いて巻装されてなり、また、ソリッド体４及びプリプレグは、強化繊維としてのカーボン繊維に合成樹脂が含浸されて形成されてなる。尚、図１において、５はガイドである。
【００１３】
また、竿本体２の竿元側は、竿基部としてのソリッド体４に、ガラスが所定量（３０％）含有されたポリブチレンテレフタレート（ＰＢＴ）から成形により筒状に形成された差込パイプ６が外嵌装着されてなり、差込パイプ６の竿元側端部には尻ゴム７が装着されてなり、該ソリッド体４と差込パイプ６とから、前記嵌入孔３に嵌入される竿本体２の嵌入部が構成される。尚、竿基部は、プリプレグが巻装されたソリッド体４としてもよく、差込パイプ６は、合成樹脂製若しくは金属製とすることが好ましい。
【００１４】
そして、該差込パイプ６の竿先側には、係止突起８が径方向に突設され、該係止突起８は１８０度対向して一対設けられ、該係止突起８の竿先側には環状フランジ９が形成されて、環状フランジ９と両係止突起８，８とは一体的に形成されてなる。尚、図２の如く、環状フランジ９の突出量は、係止突起８のそれよりも大きくなっている。図２（ロ）は、差込パイプ６の単体の側面図である。
【００１５】
そして、該差込パイプ６の竿先側には、竿先側端部がラッパ状に広がったテーパ鍔部１０ａを有するステンレス製のグリップリング１０が前記ソリッド体４に外装着され、該グリップリング１０の竿元側は前記差込パイプ６の竿先側端部に外嵌されて固定されてなる。また、該グリップリング１０には、竿先側端部外周面に雄ネジ部１１ａを有するスレンレス製の締結リング１１が回転自在に外装着されてなり、該締結リング１１は、グリップリング１０のテーパ鍔部１０ａと前記環状フランジ９との間を軸方向にスライド自在になっている。そして、該グリップリング１０の竿先側にはフロントグリップ１２が外装着されてなる。
【００１６】
次に、上記構成からなる竿本体２の前記嵌入部が嵌入されるハンドル部１について説明する。
【００１７】
該ハンドル部１は、全体として円筒状に形成され、強化繊維としてのカーボン繊維に合成樹脂が含浸されて形成された管状体１３から構成され、該管状体１３から前記嵌入孔３が構成されてなる。また、ハンドル部１の継合部となる管状体１３の竿先側端部には、ステンレス製の補強管１４が外嵌装着され、該補強管１４は、管状体１３より薄肉で且つ均一径のストレート管１５と、該ストレート管１５の竿先側に位置し且つストレート管１５より大径の連結管１６とから構成されてなる。このように、竿本体２が嵌合される領域である継合部は、管状体１３の竿先側端部と補強管１４とから構成されるが、外形形状から大別すると、ストレート管１５を有して外径一定の管部と、連結管１６を有して先広がりに形成された連結部とから構成される。
【００１８】
前記補強管１４は、図４の如く、竿本体２の嵌入部が嵌入される管状体１３の嵌入領域に略全長に亘って外嵌装着されて、該嵌入領域の管状体１３を補強する。また、前記連結管１６は、竿元側にテーパ部１６ａを有して全体として竿先側に広がった先広がり形状を呈しており、前記管状体１３の竿先側端面１３ａから所定長さ竿先側に突出するように管状体１３に外嵌装着されてなる。そして、該管状体１３から竿先側に突出した突出部１７には、図３の如く、前記締結リング１１の雄ネジ部１１ａと螺合する雌ネジ部１８が竿先側内周面に形成されてなり、該雌ネジ部１８の径は管状体１３の外径よりも大きくなっている。
【００１９】
更に、雌ネジ部１８の竿元側（管状体１３の竿先側端面１３ａの手前）には、環状の内突起１９が形成されてなる。該内突起１９の竿先側端面１９ａは、竿本体２の嵌入時に前記環状フランジ９の竿元側端面９ａが当接する当て面となる。また、該内突起１９には、前記係止突起８が凹凸係合する係止部としての係止用切欠２０が、内突起１９を軸方向に貫通するよう係止突起８と同様に１８０度対向して一対形成されてなる。このように、係止用切欠２０は、前記嵌入孔３の開口部近傍において係止突起８と係合するよう開口部近傍に設けられてなる。
【００２０】
更に、図５の如く、環状フランジ９が内突起１９に軸方向に当接した状態において、管状体１３の竿先側端面１３ａと係止突起８との間に軸方向に所定の間隙２１を形成できるように、内突起１９の竿先側端面１９ａと管状体１３の竿先側端面１３ａとの間の距離、及び係止突起８の軸方向長さとが設定されてなる。尚、管状体１３には、図１のように、パイプ状のリールシート２２と着脱自在な尻栓２３が設けられてなるが、図４ではリールシート２２を省略している。
【００２１】
本実施形態の釣竿は以上の構成からなり、竿本体２の嵌入部を管状体１３の竿先側に嵌入することによって、ハンドル部１と竿本体２とを連結することができ、嵌入部が管状体１３と嵌合した状態で、係止用切欠２０に係止突起８が凹凸係合することにより、嵌入された竿本体２が係止用切欠２０で係止されてハンドル部１に対する相対回転が防止される。そして、係止突起８が係止用切欠２０に係合すると同時に、環状フランジ９が内突起１９に軸方向に当接して竿本体２の嵌入が止まる。
【００２２】
その後、締結リング１１の雄ネジ部１１ａを連結管１６に螺入していくと、締結リング１１の竿元側端面１１ｂが環状フランジ９をハンドル部１側へと軸方向に押圧することとなり、締結リング１１を締め付けることで、環状フランジ９が内突起１９と締結リング１１とで軸方向に押圧挟持されて、竿本体２がハンドル部１と完全に一体化してハンドル部１からの竿本体２の抜けを防止できる。逆に、使用後においては、締結リング１１を緩めて竿本体２をハンドル部１から抜くことで容易に分離することができる。
【００２３】
このように、当該釣竿は、締結リング１１をハンドル部１に螺入する構成であるが、従来とは異なり継合部の竿先側端部に大径の連結管１６を設けてなるため、雌ネジ部１８の径を管状体１３の内径よりも大きくすることが容易であり、ストレート管１５の外径Ｄ１とグリップリング１０の外径Ｄ２との差を従来に比して少なくすることができる。即ち、締結リング１１が螺入される口部のみを大径とし、それより竿元側の径を口部より細くすることによって、ハンドル部１の継合部と竿本体２との外径差を少なくできるのである。従って、該外径差が要因となって生じる竿本体２の応力集中を従来に比して緩和でき、その結果、連結箇所における竿本体２の折れ損を確実に防止できる。
【００２４】
更に、グリップリング１０をストレート管１５と同様に金属製、特に同材質であるステンレス製とすることによって、連結箇所を境としたハンドル部１と竿本体２との両者の剛性の差を少なくでき、しかも、竿本体２を中実状に形成することによって、中空状の場合に比して、グリップリング１０が装着された箇所と、それより竿先側の箇所との剛性の差も少なくできるので、竿本体２の全体としての折れ損に対する強度を十分に確保することができるのである。特に、トローリングやジギングに代表される大物を対象とした船釣りに用いる釣竿の場合に効果が大きい。
【００２５】
尚、上記実施形態では、ソリッド体４や管状体１３の強化繊維としてカーボン繊維を用いたが、その他にも例えばガラス繊維を用いることも可能であり、また、竿本体２を筒状に形成してもよい。即ち、嵌入部は中空状でもよい。更に、ハンドル部１の竿先側にのみ管状体１３を設ける構成も採用できる。その他、本発明の意図する範囲内で種々の設計変更が可能であり、例えば、ストレート管１５と連結管１６とを一体的に形成したり、補強管１４と管状体１３を別体とせず一体的に形成して連結部を有する継合部を構成することも可能である。また、連結部の形状も、円筒状には限定されない。
【００２６】
更に、上記実施形態では、固定手段として雌ネジ部１８を形成し、該雌ネジ部１８に締結リング１１を螺着することによって竿本体２を固定する構成について説明したが、例えば、竿本体２を所定角度回転（半回転）することで竿本体２をハンドル部１に固定できるように、連結部の内周面に固定手段として周方向に溝部を設け、竿本体２の外周面に前記溝部と係合する突起を形成し、該突起を溝部に係合させて所定角度回転させると突起が係止するような構成とすることもでき、固定手段は締結手段に限定されるものではない。
【００２７】
【発明の効果】
以上のように、本発明の釣竿にあっては、連結部の周囲の長さを管部より長くすることで管部と竿本体との外径差を抑制することができるため、竿先側端部までストレート状のハンドル部を有する従来の釣竿に比して、外径差が要因となって生じる竿本体の応力集中を緩和でき、その結果、連結箇所における竿本体の折れ損を確実に防止できるという効果を奏する。
【図面の簡単な説明】
【図１】本発明の一実施形態における釣竿の要部を示す正面図。
【図２】同実施形態の釣竿の要部を示し、（イ）は竿本体の竿元側を示す断面図、（ロ）は差込パイプを竿元側から見た側面図。
【図３】同実施形態の釣竿の要部を示し、（イ）はハンドル部を竿先側から見た側面図、（ロ）は同ハンドル部の竿先側の断面図。
【図４】同実施形態の釣竿において、ハンドル部と竿本体とを一体化した状態を示す要部断面図。
【図５】図４のＰ部拡大図。
【図６】従来の釣竿を示す要部断面図。
【符号の説明】
１…ハンドル部、２…竿本体、１１…締結リング、１１ａ…雄ネジ部、１８…雌ネジ部
【図１】
0004070358.tif 000002
【図２】
0004070358.tif 000003
【図３】
0004070358.tif 000004
【図４】
0004070358.tif 000005
【図５】
0004070358.tif 000006
【図６】
0004070358.tif 000007